(57)【特許請求の範囲】
【請求項１】
主電源の電源オン時は当該主電源で動作し、その主電源の電源オフ時は、任意に装着可能なバックアップ電池で内部データのバックアップを行う電子機器において、
前記バックアップ電池の着脱をロックする電池ロック手段と、
前記主電源の電源オフ時にあっては、前記電池ロック手段をロックすることで前記バックアップ電池による前記バックアップを制御する第１制御手段と、
前記主電源の電源オン時にあっては、前記電池ロック手段のロックを解除することで前記バックアップ電池の着脱を可能に制御する第２制御手段と、
を具備したことを特徴とする電子機器。
【請求項２】
前記第２制御手段は、前記主電源の電源オン時において、特定の操作が行われた際に、前記電池ロック手段のロックを解除する、
ことを特徴とする請求項１に記載の電子機器。
【請求項３】
前記第２制御手段は、前記主電源の電源オン時において、複数のモードの内の特定のモードが指定された状態において前記電池ロック手段のロックを解除する、
ことを特徴とする請求項１に記載の電子機器。
【請求項４】
前記第２制御手段は、前記特定のモードが指定された状態において特定のキー操作が行われた際に、前記電池ロック手段のロックを解除する、
ことを特徴とする請求項３に記載の電子機器。
【請求項５】
電池を任意に装着可能な電子機器であって、
当該機器を電源オフ状態に切り替える切替操作をロックする操作ロック手段と、
前記電池が装着されている場合には前記切替操作のロックを解除し、前記電池が装着されていない場合には前記切替操作のロックを有効とするロック解除手段と、
を具備したことを特徴とする電子機器。
【請求項６】
前記電池は、当該機器における主電源の電源オフ時における内部データをバックアップするバックアップ電池であり、
当該機器を電源オフ状態に切り替える切替操作は、当該機器の主電源を電源オフ状態に切り替える切替操作である、
ことを特徴とする請求項５記載の電子機器。
【請求項７】
前記バックアップ電池の着脱をロックする電池ロック手段と、
前記主電源の電源オン状態においては、前記電池ロック手段のロックを解除することで前記バックアップ電池の着脱を可能に制御する電池ロック解除手段と、
を更に具備したことを特徴とする請求項６記載の電子機器。
【請求項８】
前記ロック解除手段は、前記主電源の電源オン時において、特定の操作が行われた際に、前記電池ロック手段のロックを解除する、
ことを特徴とする請求項６又は７に記載の電子機器。
【請求項９】
前記ロック解除手段は、前記主電源の電源オン時において、複数のモードの内の特定モードが指定された状態において前記電池ロック手段のロックを解除する、
ことを特徴とする請求項６又は７に記載の電子機器。
【請求項１０】
前記ロック解除手段は、前記特定モードが指定された状態において特定のキー操作が行われた際に、前記電池ロック手段のロックを解除する、
ことを特徴とする請求項９に記載の電子機器。
【請求項１１】
前記バックアップ電池は、機器本体から外部に引き出し可能に取り付けられた電池ケースに収納され、
前記電池ロック手段は、前記バックアップ電池の収納された前記電池ケースの着脱を不可能にロックすることで前記バックアップ電池をロックする、
ことを特徴とする請求項１乃至１０のいずれかに記載の電子機器。
【発明の詳細な説明】
【技術分野】
【０００１】
この発明は、電池を任意に装着可能な電子機器に関する。  
【背景技術】
【０００２】
従来、主電源以外にバックアップ用の電池電源を備え、主電源が供給されない時にバックアップ用の電池電源で各種データが消去されないように保持する電子機器が知られている。この種のバックアップ用の電池電源は、消費電力が主電源に比べて少ないのでめったに電池交換を行う必要がなく、また、主電源が供給されていない時に取り外してしまうと保持すべきデータが消去してしまう為、簡単には取り外せない様、機器ケース内部に配置される様になっている。
例えば、カメラなどにおいては、フィルムパトローネが収納されるフィルム室の側壁にバックアップ用の電池を取り付けられており、フィルムパトローネをフィルム室に装着する為に裏蓋を開けた際に電池交換が出来るようになっている（特許文献１参照）。
【特許文献１】特開２００３−１５１０４２号公報
【発明の開示】
【発明が解決しようとする課題】
【０００３】
しかして、上述したカメラのように、通常使用時に一部のケース（裏蓋）が開閉出来る電子機器では、その内部にバックアップ用の電池電源を取り付けることが可能であり、電池交換も容易であるが、そのようなケースが設けられていない電子機器にあっては、内部の回路基板などに直接取り付けることになり、電池交換はケースを開けて交換しなければならず非常に手間のかかるものであった。
この発明の課題は、電池を極めて容易に交換できる電子機器を提供することにあり、また、電池交換時に内部のデータが消去してしまうといったことがないようにした電子機器を提供することにある。  
【課題を解決するための手段】
【０００４】
請求項１記載の発明は、主電源の電源オン時は当該主電源で動作し、その主電源の電源オフ時は、任意に装着可能なバックアップ電池で内部データのバックアップを行う電子機器において、前記バックアップ電池の着脱をロックする電池ロック手段と、前記主電源の電源オフ時にあっては、前記電池ロック手段をロックすることで前記バックアップ電池による前記バックアップを制御する第１制御手段と、前記主電源の電源オン時にあっては、前記電池ロック手段のロックを解除することで前記バックアップ電池の着脱を可能に制御する第２制御手段と、を具備したことを特徴とする。  
【０００５】
請求項５記載の発明は、電池を任意に装着可能な電子機器であって、当該機器を電源オフ状態に切り替える切替操作をロックする操作ロック手段と、前記電池が装着されている場合には前記切替操作のロックを解除し、前記電池が装着されていない場合には前記切替操作のロックを有効とするロック解除手段と、を具備したことを特徴とする。  
【発明の効果】
【０００９】
本発明によれば、電池を極めて容易に交換でき、また電池交換時に内部のデータの保護を確実に行うことができる。
【発明を実施するための最良の形態】
【００１１】
〔第１実施例〕
以下、図１乃至図６を参照して本発明の第１の実施例を説明する。この実施例は、電子機器としてＰＯＳ端末であるキャッシュレジスタに本発明を適用した例を示したもので、図１は、本発明によるキャッシュレジスタの外観図である。
【００１２】
キャッシュレジスタは、図１に示すように、ドロア１の上にキャッシュレジスタ本体ケース（以下、本体ケースと称呼する。）２を載置した構成となっている。本体ケース２の正面にはテンキー、四則演算や％計算などのファンクションキー、担当者キー等押し釦式の入力キー部３が設けられており、この入力キー部３の上方には金額などの各種情報を表示する金額表示部４が配置されている。金額表示部４の側方には、内部に図示しないレシートプリンタを収納した着脱可能なプリンタカバー５が取り付けられ、このプリンタカバー５の端部に形成されたレシート開口部６からプリントされたレシート７が排出されるようになっている。
【００１３】
レシート開口部６の下方には、後述するモード鍵１１が挿入されて回転操作可能なモードスイッチ８が設けられており、このモードスイッチ８は、詳細を後述する如く回転操作によってキャッシュレジスタの機能モードを切替えられるように構成されている。本体ケース２の側面下方には、後述するバックアップ用の電池電源２０を収納する電池収納ケース９が外部に向けて引き出し可能に取り付けられている。また、ドロア１上面で電池収納ケース９の下面には凹部１０が形成されており、この凹部１０に指先或いは硬貨などを挿入して電池収納ケース９を引き出すようになっている。
【００１４】
図２は、上述したキャッシュレジスタ内部の電子回路の回路構成ブロック図である。図において、制御部（ＣＰＵ）３０は、内部に各種処理プログラムを備え、この処理プログラムを実行させることによりバスラインを介して各部を制御するものである。表示部１２は図１の金額表示部４を含み、この金額表示部４に各種データを表示させる制御部である。入力部１３は図１の入力キー部３及びモードスイッチ８を含み、各種データを入力するものである。ドロア制御部１４は、図１のドロア１の開閉を制御し、時計回路部１５は、現在の時刻（年、月日、時分）を計時するもので、計時された時刻は、表示部１２に表示されると共にレシート７に印刷される。
【００１５】
記憶部１６は、入力された金額データや、商品毎の累計売上金額データなどを記憶するもので、揮発性のＲＡＭ（ランダム・アクセス・メモリ）などから構成されている。印刷部１７は、図１で説明したレシートプリンタなどの印刷を制御するものであり、通信制御部１８は外部のＰＯＳ本体機などと接続され、売上げデータなどの送受信を制御するものである。
【００１６】
電源回路部１９は、上述した各部に動作電圧を供給するもので、図示しない配線コードを介して外部から商用（ＡＣ）電源が供給されると共に、図１に示した電池収納ケース９内部に収納されるバックアップ用の電池電源２０からの電池電圧も供給される。電池電源２０には例えば充電可能な電池が用いられ、電源回路部１９に商用電源が供給されている時には充電用の電圧を電源回路部から受けて充電できるようになっている。
【００１７】
電源回路部１９は、詳細は図示していないが内部に上記商用電源からの電圧が供給されているか否かを検出する検出回路を備え、この検出回路によって商用電源が供給されていることが検出された際には商用電源を各部の動作電圧に変換して各部に供給する。また、上記検出回路によって商用電源からの電圧が供給されていないことが検出された際にはその検出信号Ａをバスラインを介して制御部３０に送ると共に、電池電源２０からの電池電圧をバックアップを必要とする回路、例えば時計回路１５、記憶部１６、或いは、商用電源からの電圧供給がなされていない旨のメッセージを表示部１２で警告表示させるのであれば表示部１２にも供給する。
【００１８】
図３は、図１のモードスイッチ８の正面図を示したもので、後述するモード鍵１１が挿入される開口１４が形成され、この開口１４に挿入されたモード鍵１１を回動することによって、精算モード、点検モード、登録モード、オフモード及び設定モードのいずれかがモード設定されるように構成されている。
【００１９】
図４は、上述したキャッシュレジスタの動作フローチャートを示す。ステップＳ１では、電源回路１９からの検出信号Ａから商用電源が供給されているか否かを判断し、商用電源が供給されている際にはステップＳ２に進んでモードスイッチ８で設定されているモードに従った各種処理を行った後、次のステップＳ３では、電池収納ケース９のロック機構のロックを解除するために後述するロック機構に設けられている電磁機構の電流をオン（ＯＮ）にする。尚、このステップＳ３のロック解除に関しての詳細は後述する。
【００２０】
一方、ステップＳ１で商用電源が供給されていないと判断された場合にはステップＳ４に進み、このステップＳ４では、電源回路１９による電池電源２０を用いたバックアップ電圧の供給に伴う各種処理を行う。例えば、バックアップされる回路が、時計回路部１５、記憶部１６、表示部１２（上述した警告表示）の場合には、それ以外の回路の動作を停止させると共に、上記表示部１２での警告表示処理などを実行する。そして次のステップＳ５では、ロック機構に供給されている電磁機構の電流をオフにしてロック機構により電池収納ケース９をケース本体２から引き出せないように設定する。
【００２１】
図５及び図６は、電池収納ケース９のロック機構を説明する図であり、図５の（ａ）は電池収納ケース９が本体ケース２に収納されていて且つ本体ケース２から引き出せないようにロックされている状態の平面図、図５（ｂ）はその断面図である。図５（ａ）に示すように、電池収納ケース９には、内部にバックアップ用の電池電源２０として例えば単三形電池（図示せず）が数本並列配置できる電池収納部９Ａが形成され、内部側の側壁上部には延出部９Ｂが一体形成され、この延出部９Ｂの先端に上方に立ち上がる係止突部９Ｃが形成されている。
【００２２】
電池収納ケース９の引き出しをロックする電磁機構は、伸縮可能なバネ部材２１と、このバネ部材２１が収納される案内部材２２と、前記バネ部材の一方端２３Ｂが取り付けられたロックピン２４と、一対のヨーク板２５と、この一対のヨーク板の間に位置された永久磁石２６と、前記ヨーク板に巻回されたコイル２７と、このコイル２７に電流を流したり（電流オン）、また停止したり（電流オフ）する電流制御部２８とから構成されている。
尚、前記バネ部材２１の他方端２３Ａは、本体ケース２内部の適宜な箇所に固定されており、また、前記ロックピン２４は金属などの電磁材料からなり、その先端部であるピン先端部２４Ａは、前記ヨーク板２５からの磁力を受けた時にヨーク板２５に引きつけられる様に、一対のヨーク板に対向する幅広形状とされている。
【００２３】
図５（ｂ）において、モードスイッチ８のスイッチケース８Ａの下面には、上面に図示していない固定スイッチ電極が形成された接点基板８Ｂが固定されており、スイッチケース８Ａの内部には、モード鍵１１の回動に伴って一体的に回動する回動部８Ｂが設けられている。この回動部８Ｂの下面には可動接点が形成されていて、その回転位置によって固定スイッチ電極との電気的接続が行われてモードが設定されるように構成されている。
【００２４】
上記の構成においては、電流制御部２８がコイル２７に電流を流していない状態（電流オフ）においては、永久磁石２６の磁力がヨーク板２５を介して発生するため、ロックピン２４のピン先端部２４Ａはバネ部材２１のバネ力に抗してヨーク板２５に引きつけられ、図５の（ａ）に示すような状態となる。この状態は、ロックピン２４が電池収納ケース９の延出部９Ｂを跨った状態であり、その為、電池収納ケース９を本体ケース２から引き出そうとしても、延出部９Ｂの先端の係止突部９Ｃがロックピン２４に係止されてしまい、電池収納ケース９を本体ケース２から引き出せないロック状態となる。
【００２５】
即ち、図４のステップＳ５は、電流制御部２８がコイル２７に電流を流すことを停止させる処理であり、この処理によって図５（ａ）に示したように電池収納ケース９は引き出しの出来ないロック状態となる。従って、上記ステップＳ５に処理により、主電源である商用電源が供給されていない時（ステップＳ１、Ｎｏの時）に、バックアップ用の電源である電池電源２０が取り外されてしまうことを防止でき、時計回路１５や記憶部１６の記憶データが消去してしまうのを防止し得る。
【００２６】
一方、図４のステップＳ３は、電流制御部２８によってコイル２７に電流を流す（電流オン）処理であり、この処理によってコイル２７に電流が流れると、永久磁石２６の磁力がヨーク板２５によって遮断されてしまい、ヨーク板２５からは磁力の発生がなくなる。するとロックピン２４はバネ部材２１のバネ力によってヨーク板２５とは反対方向に移動して図６（ａ）に示すように、案内部材２２内に収納されてしまう。この状態は、電池収納ケース９を引き出しても、ロックピン２４と係止突部９Ｃとが係止しないロック解除の状態であり、図６（ｂ）に示すように電池収納ケース９を本体ケース２から引き出し可能になる。
【００２７】
即ち、図４のステップＳ１で商用電源が供給されていることが検出された場合（ステップＳ１、Ｙｅｓの場合）には、ステップＳ３でロックが解除されるため、任意の時点でバックアップ電池電源２０の電池交換が出来、この時は商用電源で各部の動作が保証されているため誤動作やデータの消去が発生することが無いものである。
【００２８】
〔第２実施例〕
図７は本発明の第２実施例を説明する動作フローチャートである。第１実施例では、図４に示したように商用電源が供給されていれば常に電池電源２０の電池交換を可能にしたが、この第２実施例では、特定のモードの時のみバックアップ用の電池電源２０の交換が出来る様にした点及び商用電源が供給されていても、主電源の供給をスイッチ操作でオフにして電子回路に商用電源に基づく動作電圧が供給されていない場合には、バックアップ用の電池電源２０の交換が出来ないようにした点等が第１実施例と異なるものである。
【００２９】
しかして、この第２実施例では、図４のステップＳ２及びＳ３を図７に置き換えたものであり、他の構成は第１実施例と同じであるのでその詳細な説明は省略する。
【００３０】
図７において、ステップＳ２０では、モードスイッチ８によって設定されているモードを解析して設定されているモードデータを記憶部１６に記憶し、次のステップＳ２１で記憶されたモードデータがＯＦＦモード（主電源の供給をオフにするモード）のデータか否かを判別し、ＯＦＦモードのデータであった場合にはステップＳ２２に進んで、バックアップすべき回路にのみ電池電源２０の電圧を供給し、他の回路への電源供給を停止（ＯＦＦ）する。
【００３１】
次のステップＳ２３では、電流制御部２８によってコイル２７への電流供給を停止させ、ロックピン２４を図５（ａ）に示した状態に移動させ、電池電源ケース９をロック状態にする。これによって、バックアップ状態の時に電池電源ケース９が引き出されてバックアップが停止されてしまうことを防止する。
【００３２】
また、ステップＳ２１でＯＦＦモードでないことが検出された場合には、ステップＳ２４に進み、設定モードか否かの判断がなされる。設定モードであった場合にはステップＳ２６に進み、入力キー部３の予め定められたキー、例えば、％計算キーと担当者キーとが同時押しされたか否かを判断し、同時押しが検出された場合には次のステップＳ２７で電流制御部２８によってコイル２７に電流を供給する。これによって、ロックピン２４は図６（ａ）の状態となり、電池交換が可能になる。
【００３３】
ステップＳ２６で、％計算キーと担当者キーとの同時押しでないことが検出された場合には、ステップＳ２８に進み、キャッシュレジスタとして必要な他の各種設定がなされる。また、ステップＳ２４で設定モードでないことが検出された際にはステップＳ２５に進み、他のモード、即ち、精算、点検或いは登録などの処理がなされる。
【００３４】
このように、この第２実施例では、設定モードにおける予め定められたキーの操作でのみ電源電池ケース９のロック解除を行わせているので、このモードに設定しない限り電源電池ケース９の引き出しは不可能となっており、データの保護が図られものである。尚、ステップＳ２７で電源電池ケース９のロック解除が行われて電池交換などがなされた後は、図３に示すようにモードスイッチ８がＯＦＦモードを介して他のモードに移行するように構成されているため、ＯＦＦモードになった時点でステップＳ２３の処理によって電源電池ケース９はロック状態となり、その後に他のモードに移行することとなる。従って、ロック解除の状態のままで他のモードに移行することはないものである。
【００３５】
〔第３実施例〕
図８及び図９は本発明の第３実施例によるロック機構を示す図である。尚、第１実施例及び第２実施例と同一構成部には同一符号を付してその詳細な説明は省略する。しかして、この第３実施例では、二つの特徴的な構成を開示してある。そのうちの一つは、図８（ａ）及び図９（ａ）に示されているように、電池収納ケース９が本体ケース２内部に収納された際に、電池収納ケース９の係止突部９Ｃに押圧されてスイッチ入力がなされる押し釦式のマイクロスイッチ３１が設けられている点である。
【００３６】
即ち、図７に示した第２実施例では、設定モードのステップＳ２７でロックが解除され、ＯＦＦモードのステップＳ２２でバックアップがなされると共にステップＳ２３でロック状態となる様に構成されている。しかしながら、ステップＳ２７のロック解除状態で電池収納ケース９を引き出して電池を取り外し、その状態のままモードスイッチ８を回転操作してＯＦＦモードに設定してしまうと、バックアップ用の電池電源２０が装着されていないにもかかわらず主電源が供給されないバックアップ状態になってしまい、データが消去されてしまうものである。
【００３７】
このような事態は、上記第２実施例の場合だけでなく、スイッチ操作で主電源を遮断してバックアップ電池でバックアップを行わせる電子機器一般においても起こりうるものである。そこで、上記の第３実施例では、詳細は図示していないが、モードスイッチ８の回転ロック機構を設け、マイクロスイッチ３０が電池収納ケース９によってオン状態になっている時のみ、モードスイッチ８の回転ロック機構を解除し、モード鍵１１による回転動作が行えるようにしたものである。このような構成とすることにより、バックアップ用の電池電源２０が装着されていない状態でＯＦＦモードに移行するのを防止でき、データの保護がはかれるものである。
【００３８】
この第３実施例のもう一つの特徴は、ロックピン２４によるロックを機械的に行わせる点である。即ちロックピン２４には、図８に示すように立ち上がりピン２４Ｂが一体形成されており、また、モードスイッチ８の回動部８Ｃ下面には、下方に伸びると共に先端が折曲した足部８Ｄが一体形成されている。
【００３９】
そして、モードスイッチ８がオフモードに設定されている際には、図８（ａ）及び（ｂ）に示すように、足部８Ｄが立ち上がりピン２４Ｂと係止し、ロックピン２４がロックを解除する位置に移動するのを機械的に禁止するようにしている。これによって電池電源２０によってバックアップがなされているＯＦＦモードにおいては、電池収納ケース９が本体ケース２から取り出されるのを機械的にも防止できる。
【００４０】
また、モードスイッチ８が登録モードに設定された際には、足部８Ｄが図９（ａ）に示す位置に移動して立ち上がりピン２４Ｂとの係止状態が解除されるのでロックピン２４によるロックが解除され、図９（ｂ）に示すように電池収納ケース９を本体ケース２から取り出すことが可能になる。
【００４１】
〔第４実施例〕
図１０は、本発明の第４実施例を示し、電池収納ケース９を引き出した時に電池収納ケース９が本体ケース２から外れてしまうのを防止する構造と、電池収納ケース９が本体ケース２内に挿入されている状態から抜き出てしまうのを防止した構造とを示している。
【００４２】
即ち、電池収納ケース９の延出部９Ｂ先端には、図１０（ａ）に示すように、前述した係止突部９Ｃが設けられると共に、下方に突出した突出部９Ｄが形成されている。また、本体ケース２内部には、図１０（ｂ）及び（ｃ）に示すように、本体ケース２と一体形成され先端に固定フック部（凹部）２Ｂが形成された台部２Ａ及び電池収納ケース９のガイド部材２Ｃ、２Ｄが設けられている。そしてガイド部材２Ｃ下面には固定フック部（凹部）２Ｅが形成されている。
【００４３】
そして、電池収納ケース９が図１０（ａ）に示す位置まで引き出された際には、延出部９Ｂの係止突部９Ｃが、ガイド部材２Ｃの固定フック部２Ｅに係止されて電池収納ケース９が本体ケース２から抜け出るのを防止し、電池収納ケース９が図１０（ｂ）に示す位置まで挿入された際には、延出部９Ｂの突出部９Ｄが、台座２Ａの固定フック部２Ｂに係止されて電池収納ケース９が本体ケース２から抜け出るのを防止できる。
【００４４】
尚、上記各実施例では、本発明をキャッシュレジスタに適用した例について述べたが、本発明はパーソナルコンピュータ、携帯電話、ＰＤＡ、ノートパソコン、撮像装置など、主電源とバックアップ電源とを備える電子機器であれば適用できる。
【図面の簡単な説明】
【００４５】
【図１】本発明を適用したキャッシュレジスタの外観斜視図。
【図２】図１のキャッシュレジスタの回路構成図。
【図３】図１のキャッシュレジスタのモードスイッチ８の正面図。
【図４】図１のキャッシュレジスタの動作フローチャート。
【図５】キャッシュレジスタ内部の電池収納ケース９のロック機構を示す平面図と断面図。
【図６】電池収納ケース９のロック機構が解除された状態を示す平面図と断面図。
【図７】本発明の第２実施例を説明した動作フローチャート。
【図８】本発明の第３実施例であるロック機構の平面図と断面図。
【図９】同じくロック機構の平面図と断面図。
【図１０】本発明の第４実施例である電池収納ケース９の構造図。
【符号の説明】
【００４６】
１  ドロア
２  本体ケース
３  入力キー部
８  モードスイッチ
９  電池収納ケース
１９  電源回路
２０  電池電源
２１  バネ部材
２２  ロックピン
２５  ヨーク板
２６  永久磁石
２８  電流制御部
【図１】
0005233071.tif 000002
【図２】
0005233071.tif 000003
【図３】
0005233071.tif 000004
【図４】
0005233071.tif 000005
【図５】
0005233071.tif 000006
【図６】
0005233071.tif 000007
【図７】
0005233071.tif 000008
【図８】
0005233071.tif 000009
【図９】
0005233071.tif 000010
【図１０】
0005233071.tif 000011